【手続補正書】
【提出日】平成22年4月13日(2010.4.13)
【手続補正１】
【補正対象書類名】特許請求の範囲
【補正対象項目名】全文
【補正方法】変更
【補正の内容】
【特許請求の範囲】
【請求項１】
静磁場空間に置かれた被検体に傾斜磁場を印加する傾斜磁場印加手段、前記被検体に高周波磁場パルスを照射する高周波磁場パルス照射手段および前記被検体から発生する核磁気共鳴信号を受信する受信手段を備える撮影手段を有する核磁気共鳴撮影装置であって、
前記撮影手段を制御し、所定の原子核からの信号を抑圧する複数の高周波磁場パルスであって、少なくとも１つのパルス強度が他のパルス強度と異なる高周波磁場パルス（信号抑圧パルス）の照射を含む信号抑圧パルスシーケンスを実行するシーケンス制御手段と、
前記信号抑圧パルスシーケンスで用いられる複数の信号抑圧パルスのパルス強度を調整するパルス強度調整手段と、を備え、
前記パルス強度調整手段は、前記複数の信号抑圧パルスのパルス強度の組を変化させて前記信号抑圧パルスシーケンスを実行し、得られる信号強度が０または０に最も近い値となる極値をとるパルス強度の組を選択し、それぞれ、当該複数の信号抑圧パルスのパルス強度とすること
を特徴とする核磁気共鳴撮影装置。
【請求項２】
請求項１記載の核磁気共鳴撮影装置であって、
前記パルス強度調整手段は、前記実行により得られる信号の強度をプロットした信号強度曲線において、前記極値をとるパルス強度の組を選択すること
を特徴とする核磁気共鳴撮影装置。
【請求項３】
請求項１または２記載の核磁気共鳴撮影装置であって、
前記パルス強度調整手段は、
前記複数の信号抑圧パルスのパルス強度の組を第一の条件を満たす中で変化させて、前記極値をとるパルス強度の組を選択する第一のパルス強度決定手段と、
前記第一のパルス強度決定手段で決定したパルス強度の組を、さらに第二の条件を満たす中で変化させて、前記０または０に最も近い値となるパルス強度の組を選択する第二のパルス強度選択決定手段と、を備えること
を特徴とする核磁気共鳴撮影装置。
【請求項４】
請求項３記載の核磁気共鳴撮影装置であって、
前記第一の条件は、前記複数の信号抑圧パルスのパルス強度比を固定するものであり、
前記第二の条件は、前記複数の信号抑圧パルス強度のうち、１のパルス強度のみ変化させるものであること
を特徴とする核磁気共鳴撮影装置。
【請求項５】
請求項３または４記載の磁気共鳴撮影装置であって、
前記第一のパルス強度決定手段は、前記信号強度曲線において極値をとるパルス強度の組の中で、当該パルス強度の和が最も小さいパルス強度の組を選択すること
を特徴とする核磁気共鳴撮影装置。
【請求項６】
請求項１記載の核磁気共鳴撮影装置であって、
前記パルス強度調整手段は、
前記複数の信号抑圧パルスの強度比を設定するパルス強度比設定手段と、
前記パルス強度比設定手段で設定した前記パルス強度比を維持しながら当該複数の信号抑圧パルスのパルス強度を変化させて前記信号抑圧パルスシーケンスを実行して信号を取得する第一の計測制御手段と、
前記第一の計測手段が取得した複数の信号の強度をプロットした第一の残留信号曲線を算出する残留信号曲線計算手段と、
前記第一の残留信号曲線を用いて、前記複数の信号抑圧パルスのパルス強度の和が最も小さく、かつ、極値となるパルス強度の組を選択し、当該複数の信号抑圧パルスの強度とする第一のパルス強度決定手段と、
前記第一のパルス強度決定手段で選択したパルス強度を有する前記複数の信号抑圧パルスのうち、１つの信号抑圧パルスのパルス強度を変化させて前記信号抑圧パルスシーケンスを実行して信号を取得する第二の計測制御手段と、
前記第二の計測手段が取得した複数の信号の強度をプロットした第二の残留信号曲線を算出する残留信号曲線計算手段と、
前記第二の残留信号曲線を用いて、信号強度が０または０に最も近い値をとるパルス強度を選択し、前記第二の計測制御手段で変化させた１つの信号抑圧パルスの強度と決定する第二のパルス強度決定手段と、を備えること
を特徴とする核磁気共鳴撮影装置。
【請求項７】
請求項４から６いずれか１記載の核磁気共鳴撮影装置であって、
前記信号抑圧パルスは３つであり、
前記パルス強度比は、前記３つの信号抑圧パルスのうち１つのパルスの強度を１とするとき、他の２つのパルスの強度は、それぞれ１以上２未満の範囲で設定すること
を特徴とする核磁気共鳴撮影装置。
【請求項８】
請求項１から７いずれか１項記載の核磁気共鳴撮影装置であって、
前記シーケンス制御手段は、前記信号抑圧パルスシーケンスの後続パルスシーケンスとして、少なくとも１つの高周波磁場パルスの照射を含む本計測パルスシーケンスを備えること
を特徴とする核磁気共鳴撮影装置。
【請求項９】
請求項８に記載の核磁気共鳴撮影装置であって、
前記信号抑圧パルスは、水プロトンからの信号を抑圧する高周波磁場パルスであり、
前記本計測パルスシーケンスは、少なくとも１つの励起用高周波磁場パルスの自由減衰信号の取得を含むＭＲＳパルスシーケンスであること
を特徴とする核磁気共鳴撮影装置。
【請求項１０】
請求項８に記載の核磁気共鳴撮影装置であって、
前記信号抑圧パルスは、水プロトンからの信号を抑圧する高周波磁場パルスであり、
前記本計測パルスシーケンスは、少なくとも１つの励起用高周波磁場パルスと、位相エンコード傾斜磁場の印加と、前記反転高周波磁場パルス照射後の自由減衰信号の取得とを含むＭＲＳＩパルスシーケンスであること
を特徴とする核磁気共鳴撮影装置。
【請求項１１】
請求項８に記載の核磁気共鳴撮影装置であって、
前記信号抑圧パルスは、脂肪プロトンからの信号を抑圧する高周波磁場パルスであり、
前記本計測パルスシーケンスは、少なくとも１つの励起用高周波磁場パルスの照射と、位相エンコード傾斜磁場および読み出し傾斜磁場の印加と、前記エコー信号の取得とを含むＭＲＩパルスシーケンスであること
を特徴とする核磁気共鳴撮影装置。
【請求項１２】
静磁場空間に置かれた被検体に傾斜磁場を印加する傾斜磁場印加手段と、前記被検体に高周波磁場パルスを照射する高周波磁場パルス照射手段と、前記被検体から発生する核磁気共鳴信号を受信する受信手段と、前記撮影手段を制御し、所定の原子核からの信号を抑圧する複数の高周波磁場パルスであって、少なくとも１つのパルス強度が他のパルス強度と異なる高周波磁場パルス（信号抑圧パルス）の照射を含む信号抑圧パルスシーケンスを実行するシーケンス制御手段と、を備える撮影手段を有する核磁気共鳴撮影装置における前記複数の信号抑圧パルスのパルス強度を調整するパルス強度調整方法であって、
前記複数の信号抑圧パルスのパルス強度の組を第一の条件を満たす中で変化させて、前記信号抑圧パルスシーケンスを実行し、得られる信号強度が極値をとるパルス強度の組を選択する第一のパルス強度決定ステップと、
前記第一のパルス強度決定ステップで決定したパルス強度の組を、さらに第二の条件を満たす中で変化させて、前記信号抑圧パルスシーケンスを実行し、前記信号強度が０または０に最も近い値となるパルス強度の組を選択する第二のパルス強度選択決定ステップと、を備えること
を特徴とするパルス強度調整方法。
【手続補正２】
【補正対象書類名】明細書
【補正対象項目名】００１１
【補正方法】変更
【補正の内容】
【００１１】
具体的には、静磁場空間に置かれた被検体に傾斜磁場を印加する傾斜磁場印加手段、前記被検体に高周波磁場パルスを照射する高周波磁場パルス照射手段および前記被検体から発生する核磁気共鳴信号を受信する受信手段を備える撮影手段を有する核磁気共鳴撮影装置であって、前記撮影手段を制御し、所定の原子核からの信号を抑圧する複数の高周波磁場パルスであって、少なくとも１つのパルス強度が他のパルス強度と異なる高周波磁場パルス（信号抑圧パルス）の照射を含む信号抑圧パルスシーケンスを実行するシーケンス制御手段と、前記信号抑圧パルスシーケンスで用いられる複数の信号抑圧パルスのパルス強度を調整するパルス強度調整手段と、を備え、前記パルス強度調整手段は、前記複数の信号抑圧パルスのパルス強度の組を変化させて前記信号抑圧パルスシーケンスを実行し、得られる信号強度が０または０に最も近い値となる極値をとるパルス強度の組を選択し、それぞれ、当該複数の信号抑圧パルスのパルス強度とすることを特徴とする核磁気共鳴撮影装置を提供する。
さらに、前記パルス強度調整手段は、前記複数の信号抑圧パルスの強度比を設定するパルス強度比設定手段と、前記パルス強度比設定手段で設定した前記パルス強度比を維持しながら当該複数の信号抑圧パルスのパルス強度を変化させて前記信号抑圧パルスシーケンスを実行して信号を取得する第一の計測制御手段と、前記第一の計測手段が取得した複数の信号の強度をプロットした第一の残留信号曲線を算出する残留信号曲線計算手段と、前記第一の残留信号曲線を用いて、前記複数の信号抑圧パルスのパルス強度の和が最も小さく、かつ、極値となるパルス強度の組を選択し、当該複数の信号抑圧パルスの強度とする第一のパルス強度決定手段と、前記第一のパルス強度決定手段で選択したパルス強度を有する前記複数の信号抑圧パルスのうち、１つの信号抑圧パルスのパルス強度を変化させて前記信号抑圧パルスシーケンスを実行して信号を取得する第二の計測制御手段と、前記第二の計測手段が取得した複数の信号の強度をプロットした第二の残留信号曲線を算出する残留信号曲線計算手段と、前記第二の残留信号曲線を用いて、信号強度が０または０に最も近い値をとるパルス強度を選択し、前記第二の計測制御手段で変化させた１つの信号抑圧パルスの強度と決定する第二のパルス強度決定手段と、を備えることを特徴とする核磁気共鳴撮影装置を提供する。